(57)【特許請求の範囲】
【請求項１】
板状のプロテクターを収容する収容部が裏地に設けられたバイクライダー用衣服であって、
前記収容部が立体メッシュ布地で形成されており、
前記立体メッシュ布地は、
布地の厚さ方向に互いに離間して配置され、それぞれ網状をなす上層及び下層と、
前記上層と前記下層を繋ぎつつ、前記厚さ方向に離間させるように支持する複数の支持糸と、を有し、
前記支持糸は、その両端部に対して中央部が、前記厚さ方向に垂直な方向に膨出するように湾曲し形成されていて、弾性変形可能であり、
前記立体メッシュ布地は、前記厚さ方向において、１〜３Ｎ／ｃｍ２の外力を受けたときに弾性変形し始めることを特徴とするバイクライダー用衣服。
【請求項２】
板状のプロテクターを収容する収容部が裏地に設けられたバイクライダー用衣服であって、
前記収容部が立体メッシュ布地で形成されており、
前記立体メッシュ布地は、
布地の厚さ方向に互いに離間して配置され、それぞれ網状をなす上層及び下層と、
前記上層と前記下層を繋ぎつつ、前記厚さ方向に離間させるように支持する複数の支持糸と、を有し、
前記支持糸は、その両端部に対して中央部が、前記厚さ方向に垂直な方向に膨出するように湾曲し形成されていて、弾性変形可能であり、
前記立体メッシュ布地は、１０ｃｍ×１０ｃｍの単位面積当たりに１０〜３０ｋｇｆの均等荷重を前記厚さ方向に受けたときに、弾性変形し始めることを特徴とするバイクライダー用衣服。
【請求項３】
請求項１又は２に記載のバイクライダー用衣服であって、
前記上層及び前記下層が、ハニカム構造の網状であることを特徴とするバイクライダー用衣服。
【請求項４】
請求項３に記載のバイクライダー用衣服であって、
複数の前記支持糸が、前記上層及び前記下層のハニカム構造の六角形の辺に沿うように配列していることを特徴とするバイクライダー用衣服。
【発明の詳細な説明】
【技術分野】
【０００１】
本発明は、例えばオートバイ（自動二輪、自動三輪等）や自転車等のバイクに乗るバイクライダーが着用する、バイクライダー用衣服に関するものである。
【背景技術】
【０００２】
オートバイ（自動二輪、自動三輪等）や自転車等のバイクに乗るバイクライダーは、身体が外部に晒された状態で走行するため、転倒時などに皮膚が路面に直接触れないよう、長袖ジャケット、長ズボン、つなぎ等のバイクライダー用衣服を着用する。
例えば下記特許文献１には、バイクライダー用衣服の裏地に袋状の収容部が設けられ、この収容部に板状のプロテクターが着脱可能に収容されることにより、転倒時にバイクライダーが受ける衝撃を緩和し、身体を保護する技術が開示されている。
【先行技術文献】
【特許文献】
【０００３】
【特許文献１】実開平５−４６９０６号公報
【発明の概要】
【発明が解決しようとする課題】
【０００４】
しかしながら、従来のバイクライダー用衣服は、夏季にはプロテクターの裏面が蒸れやすく、ライダーが湿気を不快に感じることがあった。また冬季には、走行風を受け衣服内部の温度が低下し過ぎる（ライダーが寒さを不快に感じる）という課題があった。
また、転倒時などにおいて、バイクライダーの身体の安全性をより高めることにも改善の余地があった。
【０００５】
本発明は、このような事情に鑑みてなされたものであって、バイク走行時の快適性を向上でき、かつ、転倒時などにはバイクライダーの身体への衝撃を緩和して安全性を高めることが可能なバイクライダー用衣服を提供することを目的としている。
【課題を解決するための手段】
【０００６】
このような課題を解決して、前記目的を達成するために、本発明は以下の手段を提案している。
すなわち本発明は、板状のプロテクターを収容する収容部が裏地に設けられたバイクライダー用衣服であって、前記収容部が立体メッシュ布地で形成されており、前記立体メッシュ布地は、布地の厚さ方向に互いに離間して配置され、それぞれ網状をなす上層及び下層と、前記上層と前記下層を繋ぎつつ、前記厚さ方向に離間させるように支持する複数の支持糸と、を有し、前記支持糸は、その両端部に対して中央部が、前記厚さ方向に垂直な方向に膨出するように湾曲し形成されていて、弾性変形可能であり、前記立体メッシュ布地は、前記厚さ方向において、１〜３Ｎ／ｃｍ２の外力を受けたときに弾性変形し始めることを特徴とする。
また本発明は、板状のプロテクターを収容する収容部が裏地に設けられたバイクライダー用衣服であって、前記収容部が立体メッシュ布地で形成されており、前記立体メッシュ布地は、布地の厚さ方向に互いに離間して配置され、それぞれ網状をなす上層及び下層と、前記上層と前記下層を繋ぎつつ、前記厚さ方向に離間させるように支持する複数の支持糸と、を有し、前記支持糸は、その両端部に対して中央部が、前記厚さ方向に垂直な方向に膨出するように湾曲し形成されていて、弾性変形可能であり、前記立体メッシュ布地は、１０ｃｍ×１０ｃｍの単位面積当たりに１０〜３０ｋｇｆの均等荷重を前記厚さ方向に受けたときに、弾性変形し始めることを特徴とする。
【０００７】
また、本発明のバイクライダー用衣服において、前記上層及び前記下層が、ハニカム構造の網状であることとしてもよい。
また、本発明のバイクライダー用衣服において、複数の前記支持糸が、前記上層及び前記下層のハニカム構造の六角形の辺に沿うように配列していることとしてもよい。
【発明の効果】
【００１０】
本発明のバイクライダー用衣服によれば、バイク走行時の快適性を向上でき、かつ、転倒時などにはバイクライダーの身体への衝撃を緩和して安全性を高めることができる。
【図面の簡単な説明】
【００１１】
【図１】本発明の一実施形態に係るバイクライダー用衣服１を示す正面図である。
【図２】図１のバイクライダー用衣服１のうち、上着１０を示す背面図である。
【図３】上着１０の使用態様を示す断面図である。
【図４】立体メッシュ布地２０を示す拡大図である。
【発明を実施するための形態】
【００１２】
以下、本発明の一実施形態に係るバイクライダー用衣服１について、図面を参照して説明する。
本実施形態のバイクライダー用衣服１は、例えばオートバイ（自動二輪、自動三輪等）や自転車等のバイクに乗るバイクライダーが着用する衣服（衣類）の一種である。
図１に示されるように、本実施形態においては、バイクライダー用衣服１として、上着１０とズボン３０を用いた一例について説明する。
【００１３】
図１及び図２に示されるように、上着１０は、バイクライダーの上半身のうち胴部及び腕部を覆う長袖ジャケット等のバイクライダー用上着であって、後身頃１１と、左右一対の前身頃１２と、左右一対のアームスリーブ（袖）１３と、を有している。一対の前身頃１２同士は、後身頃１１とは反対側の前部（つまりバイクライダーの胴部の前側部分）において、互いに分離し、胴周りに対向配置され、かつ、上下方向に延びるファスナー等の連結部によって互いに連結可能とされている。
これらの後身頃１１、前身頃１２及びアームスリーブ１３が縫い合わされて、ネックホール１４、袖口１５、及び裾口１６が形成されている。
【００１４】
上着１０の裏地には、複数のプロテクター収容部（収容部）１７が設けられる。プロテクター収容部１７は、板状のプロテクター２を着脱可能に収容するものであって、立体メッシュ布地２０を用いて袋状に形成される。つまり、プロテクター収容部１７を構成する布地（収容部１７において主となる布地）全体が、立体メッシュ布地２０で形成される。立体メッシュ布地２０の詳細構造については、後述する。
なお、本明細書でいう上記「裏地」とは、バイクライダー用衣服１を構成する布地の表面及び裏面のうち、布地の厚さ方向に沿うバイクライダーの身体側を向く裏面を指す。
【００１５】
プロテクター収容部１７は、上着１０の複数個所に設けられる。具体的に本実施形態では、プロテクター収容部１７は、上着１０の背中部、胸部、肩部、肘部（前腕外側部）、及び脇部（側腹部）に設けられる。
【００１６】
図３は、上着１０の使用態様を示す断面図である。なお、図３においては、上着１０に設けられた複数のプロテクター収容部１７のうち、背中部に設けられたもののみを示しており、その他については図示を省略している。
プロテクター２は、転倒時にバイクライダーが受ける衝撃を緩和し、身体を保護する部材であって、例えばプラスチック、炭素繊維複合材料、金属材料、弾性材料、及びこれらを組み合わせてなる材料等により、平板や湾曲板（例えばカップ状の板）など種々の板状に形成される。プロテクター２は、上着１０とバイクライダーの身体（上半身）の間に配置（介装）される。
【００１７】
プロテクター収容部１７は、対応する（収容する）プロテクター２よりも広い面積とされており、上着１０の裏地に対して該収容部１７の周囲が着脱可能に、又は固定状態とされて取り付けられている。プロテクター収容部１７は、プロテクター２全体を覆いつつ、該プロテクター２を上着１０に対して固定させるように（移動を規制するように）保持する。
つまり、プロテクター収容部１７は、プロテクター２とバイクライダーの身体（上半身）の間に挟まれるように配置されているとともに、対応するプロテクター２がバイクライダーの身体における所定の箇所から移動しないように、該プロテクター２の移動を規制しつつ保持している。
【００１８】
本実施形態では、図３に示されるように、プロテクター収容部１７は、上着１０の裏地との間に空隙（隙間）を形成するように該裏地に取り付けられており、該空隙を有する袋状をなしていて、その内部にプロテクター２を着脱可能に収容する。ただしこれに限定されるものではなく、例えばプロテクター収容部１７が単独（上着１０に取り付けられる前の状態）で袋状をなしているとともに、その内部にプロテクター２を収容可能とされて、上着１０の裏地に取り付けられていてもよい。
プロテクター収容部１７においてプロテクター２を出し入れする開口部には、面ファスナー（不図示）等の開閉部が設けられる。
【００１９】
図４に示される立体メッシュ布地２０の拡大図において、立体メッシュ布地２０は、上層（表層）２１と、下層（裏層）２２と、これら上下層２１、２２同士の間の複数の支持糸（中間層）２３と、を有する。
上層２１及び下層２２は、それぞれ網状をなしており、立体メッシュ布地２０の布地の厚さ方向（図４における上下方向）に互いに離間して配置される。
複数の支持糸２３は、上層２１と下層２２を繋ぎつつ、上層２１と下層２２を厚さ方向に離間させるように支持する。
【００２０】
そして、支持糸２３は、弾性変形可能であり、該支持糸２３の延在方向の両端部に対して中央部２３ｃが、布地の厚さ方向に垂直な方向（上層２１と下層２２に沿う方向）に膨出するように湾曲し形成される。図４に示される例では、支持糸２３における中央部２３ｃが、上層２１及び下層２２に連結される両端部に対して、前記厚さ方向に垂直な側方（布地の面方向であり、図４においては右側）へ向けて膨出するように、曲線状に湾曲している。
【００２１】
具体的に本実施形態においては、立体メッシュ布地２０の上層２１及び下層２２は、ハニカム（六角形）構造の網状に形成される。
また、上層２１及び下層２２のうち、少なくともバイクライダーの身体に接触する層は、撚糸により形成される。本実施形態では、上層２１及び下層２２の両方が、撚糸によって網状に形成されている。
【００２２】
立体メッシュ布地２０の支持糸２３は、単一の繊維（モノフィラメント）により形成されている。
また、複数の支持糸２３同士は、上層２１及び下層２２に縫い合わされて、互いに接続されている。つまり、布地の厚さ方向に交互に折り返されつつ布地の面方向に延びる支持糸２３を介して、上層２１と下層２２とが、縫い合わされている。具体的に、本実施形態の支持糸２３は、上層２１及び下層２２の網形状（六角形の辺）に沿うように、前記厚さ方向に折り返されつつ縫われて、面方向に延びている。
【００２３】
立体メッシュ布地２０は、１０ｃｍ×１０ｃｍの単位面積当たりに１０〜３０ｋｇｆの均等荷重（外力）を厚さ方向に受けたときに、弾性変形し始める程度の強度を有する。つまり、布地の厚さ方向において、立体メッシュ布地２０に約１〜３Ｎ／ｃｍ２ 程度の外力が作用すると、複数の支持糸２３がさらに湾曲するように変形する。具体的には、支持糸２３において、両端部に対して中央部２３ｃが前記厚さ方向に垂直な向きに膨出する変位量が、上記外力を受けることにより増大させられる。
このように、立体メッシュ布地２０は、布地の厚さ方向から外力を受けることにより、その厚さ寸法を縮小させるように弾性変形し、前記外力が減少又は消滅すると、復元変形して元の形状に戻る。
【００２４】
具体的に本実施形態では、立体メッシュ布地２０（複数の支持糸２３）は、１０ｃｍ×１０ｃｍの単位面積当たりに例えば２０ｋｇｆの均等荷重（外力）を厚さ方向に受けたときに（つまり約２Ｎ／ｃｍ２ 程度の外力を厚さ方向から受けたときに）、弾性変形し始める強度を有する。
なお、立体メッシュ布地２０の厚さ寸法は、弾性変形前の状態において、例えば３〜１５ｍｍ程度であり、本実施形態では、５〜１０ｍｍ程度となっている。
【００２５】
また、本明細書でいう上記「弾性変形し始める」とは、立体メッシュ布地２０の厚さ方向に沿う断面を人が肉眼で見たときに、この立体メッシュ布地２０が外力を受けて弾性変形し始めたことが明らかに認識できる程度の変形状態（度合い）を指しており、具体的には、例えば１〜２ｍｍ程度の弾性変形を指す。
【００２６】
図１に示されるように、ズボン３０は、バイクライダーの下半身のうち腰部及び脚部（特に足首から腰部に到る部位）を覆う長ズボン等のバイクライダー用ズボンであって、このズボン３０の裏地にも、複数のプロテクター収容部（収容部）３７が設けられる。
プロテクター収容部３７は、前述のプロテクター収容部１７と同様の構成及び機能を有する。つまり、プロテクター収容部３７は、板状のプロテクター２を着脱可能に収容するものであって、立体メッシュ布地２０を用いて袋状に形成される。
プロテクター収容部３７は、ズボン３０の複数個所に設けられる。具体的に、プロテクター収容部３７は、腰部（側腰部）、及び膝部（前脛部）に設けられる。
プロテクター２は、ズボン３０とバイクライダーの身体（下半身）の間に配置（介装）される。
【００２７】
以上説明した本実施形態のバイクライダー用衣服１（上着１０、ズボン３０）によれば、プロテクター２とバイクライダーの身体の間に、立体メッシュ布地２０からなるプロテクター収容部１７、３７が介在するので、夏季には、プロテクター２と身体の間にスペースを作る立体メッシュ布地２０の内部を通して、身体周りに空気を流通させることができ、プロテクター２裏面の蒸れ（湿気の上昇）を抑制できる。つまり、身体のプロテクター装着部分において汗の蒸発を促進しつつ蒸れを防止できるので、清涼感が向上する。
【００２８】
なお、走行時の風圧によりプロテクター２が身体に押し付けられる場合であっても、立体メッシュ布地２０がプロテクター２と身体の間に所定のスペースを保持するため、プロテクター２が身体に密着してしまうことがなく、空気の流通が妨げられることはない。
一方、冬季には、プロテクター２と身体の間にスペースを作る立体メッシュ布地２０の内部に空気を保持して、空気断熱による保温効果を得ることができ、暖かく感じられる。
【００２９】
また、転倒時において、バイクライダーが路面等から受ける衝撃を、プロテクター２が収容されるプロテクター収容部１７、３７（立体メッシュ布地２０）により緩和できる。具体的には、プロテクター収容部１７、３７の立体メッシュ布地２０が衝撃を受け弾性変形することにより、バイクライダーの背中部、胸部、肩部、肘部（前腕外側部）、脇部（側腹部）、腰部（側腰部）、及び膝部（前脛部）等に伝達される衝撃を、これら収容部１７、３７とプロテクター２が協働して分散し、効果的に低減できる。より詳しくは、板状のプロテクター２と、該プロテクター２の裏面に面接触するプロテクター収容部１７、３７との組み合わせによる相乗効果により、衝撃を効果的に分散して顕著に緩和できる。従って、バイクライダーの身体の安全性を高めることができる。
【００３０】
より詳しくは、バイクライダー用衣服１は、立体メッシュ布地２０の上層２１と下層２２を繋ぐ支持糸２３が湾曲して形成されており、該支持糸２３の両端部に対する中央部２３ｃの膨出量（布地の厚さ方向に垂直な方向への変位量）を増大させるように、支持糸２３が弾性変形する。
従って、例えばバイクライダーが身体を動かすなどにより立体メッシュ布地２０が弾性変形させられた場合に、上層２１と下層２２とを、前記厚さ方向に垂直な方向への相対位置は変えずに、前記厚さ方向に接近移動させることができる。つまり、上層２１と下層２２が布地の面方向（布面方向）にずれにくいので、着心地に影響しにくい。またこれにより、繰り返し安定した弾性変形が得られ、衝撃を確実に緩和できる。
【００３１】
以上のように、本実施形態のバイクライダー用衣服１によれば、バイク走行時の快適性を向上でき、かつ、転倒時などにはバイクライダーの身体への衝撃を緩和して安全性を高めることができるのである。
【００３２】
また本実施形態では、立体メッシュ布地２０が、布地の厚さ方向において、１〜３Ｎ／ｃｍ２ の外力を受けたときに弾性変形し始めるので、上述した本実施形態の作用効果がより安定して得られやすくなる。
すなわち、立体メッシュ布地２０が、前記厚さ方向に１Ｎ／ｃｍ２以上の外力を受けたときに弾性変形し始める強度を有する（つまり軟らか過ぎることがない）ので、プロテクター収容部１７、３７が、プロテクター２と身体との間で外力により容易につぶれてしまうようなことが防止され、上述した空気の流通性、空気の保持性（断熱効果）、衝撃緩和などの機能を安定して発揮できる。
【００３３】
また、立体メッシュ布地２０が、前記厚さ方向に３Ｎ／ｃｍ２以下の外力を受けたときに弾性変形し始める強度を有する（つまり硬過ぎることがない）ので、プロテクター収容部１７、３７に対して、剛性を過度に付与するようなことが防止されるとともに、該プロテクター収容部１７、３７が適度に弾性変形させられて、着心地を良好に維持することが可能になり、かつ転倒時の衝撃を効果的に吸収することができる。
【００３４】
また、プロテクター収容部１７、３７が、バイクライダー用衣服１（上着１０、ズボン３０）の裏地に対して、袋状に取り付けられるので、プロテクター２を該バイクライダー用衣服１に対して、容易に着脱可能にすることができる。
【００３５】
また本実施形態では、バイクライダー用衣服１が、上着１０やズボン３０であり、このように、様々な種類のバイクライダー用衣服１に対して本発明を適用することができる。
なお、本実施形態のように、上着１０とズボン３０の両方にプロテクター２を装着可能に、プロテクター収容部１７、３７を設けた場合には、バイクライダーの身体（上半身、下半身）の安全性を高めつつ、快適な着心地を実現できる。
【００３６】
また本実施形態では、立体メッシュ布地２０の上層２１及び下層２２が、ハニカム（六角形）構造の網状に形成されるので、立体メッシュ布地２０において外部に露出する上下層２１、２２が破れにくくなり、製造（縫製）もしやすくなる。
また、立体メッシュ布地２０における上層２１及び下層２２のうち、少なくともバイクライダーの身体に接触する層が、撚糸により形成されるので、肌触りがよくなる。
【００３７】
また、立体メッシュ布地２０の支持糸２３が、単一の繊維（モノフィラメント）により形成されるので、支持糸２３を弾性変形可能に形成しつつ、該支持糸２３に対して所期する強度を安定して付与しやすくなる。つまり、支持糸２３が、安定して上層２１と下層２２を厚さ方向に離間させて支持できる。
また、複数の支持糸２３同士が、上層２１及び下層２２に縫い合わされて、互いに接続されており、より詳しくは、上層２１と下層２２とが、布地の厚さ方向に交互に折り返されつつ布地の面方向に延びる支持糸２３を介して、縫い合わされているので、立体メッシュ布地２０が製造しやすく、かつ、破損しにくくなる。
【００３８】
なお、本発明は前述の実施形態に限定されるものではなく、本発明の趣旨を逸脱しない範囲において種々の変更を加えることが可能である。
【００３９】
例えば、前述の実施形態では、プロテクター収容部１７、３７の開口部に面ファスナーを取り付ける構成について説明したが、これに限定されるものではない。すなわち、面ファスナーに代えて、例えばボタンとボタンホール、ファスナー、或いは折り返し構造等を用いてもよい。
【００４０】
また、前述の実施形態では、バイクライダー用衣服１が、上着１０（長袖ジャケット）とズボン３０（長ズボン）である場合について説明したが、これに限らない。すなわち、バイクライダー用衣服１は、例えば、上着１０とズボン３０が連結し形成された、所謂「つなぎ」であってもよい。
【００４１】
その他、本発明の趣旨から逸脱しない範囲において、前述の実施形態、変形例及びなお書き等で説明した各構成（構成要素）を組み合わせてもよく、また、構成の付加、省略、置換、その他の変更が可能である。また本発明は、前述した実施形態によって限定されることはなく、特許請求の範囲によってのみ限定される。
【符号の説明】
【００４２】
１  バイクライダー用衣服
２  プロテクター
１０  上着（バイクライダー用衣服）
１７、３７  プロテクター収容部（収容部）
２０  立体メッシュ布地
２１  上層
２２  下層
２３  支持糸
２３ｃ  中央部
３０  ズボン（バイクライダー用衣服）
【図１】
0006456099.tif 000002
【図２】
0006456099.tif 000003
【図３】
0006456099.tif 000004
【図４】
0006456099.tif 000005